(57)【要約】      （修正有）【課題】装着クリップと連結したカードホルダーに収納された状態のＩＣカードを投入しデータ処理手段で処理した後、ＩＣカードとカードホルダーの回収を目的としたカードホルダー回収機を提供する。【解決手段】ＩＣカードを収納したホルダーと、装着用クリップで連結されたカードホルダー１の回収機において、カードホルダーの投入口６が、装着用クリップを通さない大きさから成るホルダー通過孔７と、ホルダーを通さない大きさの、少なくとも一つのクリップ通過孔８で構成され、且、クリップ通過孔がホルダー通過孔に連続して設けられたことを特徴とし、また、前記クリップ通過孔が前記ホルダー通過孔に連続する各交点１５から、ホルダー通過孔の両端面１６までの各寸法が、ホルダー側縁の寸法よりも短いことを特徴とする。【選択図】図３
0003157381.tif 000002
【実用新案登録請求の範囲】
【請求項１】
ＩＣカードを収納したホルダーと、装着用クリップで連結されたカードホルダーの回収機において、カードホルダーの投入口が、装着用クリップを通さない大きさから成るホルダー通過孔と、ホルダーを通さない大きさの、少なくとも一つのクリップ通過孔で構成され、且、クリップ通過孔がホルダー通過孔に連続して設けられたことを特徴とするカードホルダー回収機。
【請求項２】
前記クリップ通過孔が前記ホルダー通過孔に連続する各交点から、ホルダー通過孔の両端面までの各寸法が、ホルダー側縁の寸法よりも短いことを特徴とする請求項１に記載のカードホルダー回収機。
【考案の詳細な説明】
【技術分野】
【０００１】本考案は、セキュリティゲートから退場する際に、装着クリップを連結したカードホルダーにＩＣカードを収納した状態で投入し、ＩＣカードのデータ処理とカードホルダーの回収を目的としたカードホルダー回収機に関するものである。
【背景技術】
【０００２】オフィスや、イベント会場等、人の出入りする場所での入退管理は、例えばセキュリティゲートの入口で無線カード等をカードタッチ部にかざし、付帯する処理手段でカード情報を照合することで入場許可の管理をおこなっている。また、入場した場所からの退場は、無線カードをカード回収装置に投入してカード情報を照合し、その後回収する方法が実施されている。例えば、特許文献１に示すものが知られており、無線カードのデータ処理と回収を目的とし、特に無線カードの回収に効果的である。
【先行技術文献】
【特許文献】
【０００３】
【特許文献１】特開２００３−２５６７７７号公報
【考案の概要】
【考案が解決しようとする課題】
【０００４】しかしながら、前記、入退場に使用される無線カードは利用者への利便性から装着用クリップと連結されたカードホルダーに収納され、利用者の胸ポケットに挟みこむ方法で利用されるのが一般的であり、前記特許文献１の提案は、退場時に無線カード単体でカード回収装置に投入するものでカードホルダーに収納されている無線カードを都度、取出す必要から取り出す操作に手間取る場合も多く、セキュリティゲートの混雑の一因となる。また、取り出す際や回収装置内での搬送による無線カードの損傷が多く、カードホルダーは無線カードを取り出し後、利用者の手元に残るため持帰ることが多い。このため、無線カードやカードホルダーの再利用が困難であった。【０００５】そこで、本考案は、ＩＣカードを装着クリップと連結されたホルダーに収納した状態のカードホルダーで投入しデータ処理手段でデータ処理をおこなった後、ＩＣカードとカードホルダーを回収することを目的とした、カードホルダー回収機を提供することを課題とする。
【課題を解決するための手段】
【０００６】上記課題を解決するために請求項１による本考案は、ＩＣカードを収納したホルダーと、装着用クリップで連結されたカードホルダーの回収機において、カードホルダーの投入口が、装着用クリップを通さない大きさから成るホルダー通過孔と、ホルダーを通さない大きさの、少なくとも一つのクリップ通過孔で構成され、且、クリップ通過孔がホルダー通過孔に連続して設けられたことを特徴とする。【０００７】請求項２による本考案は、ＩＣカードを収納し、装着用クリップを連結したカードホルダーの回収機において、前記クリップ通過孔が前記ホルダー通過孔に連続する各交点から、ホルダー通過孔の両端面までの各寸法が、ホルダー側縁の寸法よりも短いことを特徴とする。
【考案の効果】
【０００８】本考案の請求項１に係る考案は、ＩＣカードを収納し、装着用クリップを連結したカードホルダーの回収機において、利用者がカードホルダー投入口にホルダー及び装着されているクリップを夫々の孔に正確に通過させるため、ホルダー通過孔とクリップ通過孔を目視で判別できる大きさに設けたものである。夫々の孔を簡単に見分けることにより、カードホルダーの投入を正確に手際よくでき、カードホルダー回収機内での詰まりや引っかかりもなく、所定位置に正確に収まることで投入を原因とするカードホルダー回収機の故障を低減する。また、ホルダーに収納されているＩＣカードを都度取出す必要もなく、カードホルダー回収機と連動したセキュリティゲートを手際よく通過できる。【０００９】本考案の請求項２に係る考案は、ＩＣカードを収納し、装着用クリップを連結したカードホルダーの回収機において、利用者がカードホルダーを投入口に正確に投入するためのもので、クリップ通過孔の大きさと位置を制限することで、カードホルダーの投入する向きを誤った場合、クリップ位置にクリップ通過孔がないため通過させることができない。このため、前記と同様にカードホルダーの投入を正確に手際よくでき、カードホルダー回収機内での詰まりや引っかかりもなく、所定位置に正確に収めることができる。【００１０】また、本考案による投入口を設けたカードホルダー回収機にＩＣカードのデー処理手段を備え、セキュリティゲートと連動するシステムを構築することで、投入したＩＣカードにより退場する利用者の認証とともに、入力されているデータを消去することもでき、また、ＩＣカードはカードホルダーに収納した状態で回収されるため、ＩＣカードに損傷を与えることもない。このため、新規に登録する利用者にＩＣカード及びカードホルダーの再利用することができコスト、環境面から効果が大きいものである。
【考案を実施するための形態】
【００１１】本考案の投入口を設けたカードホルダー回収機はセキュリティゲートに組込み、または、独立したカードホルダー回収機をセキュリティゲートとシステムで連結し退場側の入口に設置する形態である。
【００１２】以下、本考案に係わるカードホルダー回収機１４の実施例について図面を参照して具体的に説明する。前記、本考案のカードホルダー回収機１４に投入される一般的なカードホルダー１の例を図１及び図２に示す。カードホルダー１はＩＣカード２を保護や利便性の目的から、透明プラスチック製のホルダー３に収納し、ホルダー３の上縁には利用者のための装着クリップ４が自在に折れ曲がる素材の連結部材５で繋がっている。
【００１３】つぎに、請求項１に係る実施例を図で説明する。図３は本考案のカードホルダー回収機１４に設けたカードホルダー１の投入口６の一例を示したもので、カードホルダー投入口６は、装着用クリップ４を通さない大きさから成るホルダー通過孔７と、ホルダー３を通さない大きさの、少なくとも一つのクリップ通過孔８で構成され、且、ホルダー通過孔７がクリップ通過孔８に連続して設けられることで構成されている。ホルダー通過孔７の各端面１６、１６ａの寸法は、装着用クリップ４の厚さ寸法短くすることで装着用クリップ４が挿入できない。また、クリップ通過孔８の幅をホルダー３の下縁１０より短くすることでクリップ通過孔８をホルダー３が挿入できない投入口６に構成されている。
【００１４】また、図４は本考案の他の実施例で、投入口６ａが前記と同様にホルダー通過孔７とクリップ通過孔８とで構成され、さらに、クリップ通過孔８ａがクリップ通過孔８と反対側の位置にホルダー通過孔７に連続して設けられることで構成されている。
【００１５】各々、投入口６及び投入口６ａは、以上に述べたホルダー通過孔７とクリップ通過孔８及びクリップ通過孔８ａで構成されており、それぞれの孔にはカードホルダー１の所定の構成部品しか挿入できない。
【００１６】次に、請求項２に係る他の実施例を図で説明する。前記クリップ通過孔８が前記ホルダー通過７孔に連続する交点１５、及び１５ａの各々から、ホルダー通過孔の端面１６及び１６ａ、までの各寸法が、ホルダー側縁１７の寸法より短くすることで、例えば、前記、説明のカードホルダー１を利用者が誤って、投入口６、６ａにホルダー３の側縁１７から投入した場合でも装着クリップ４の挿入できる孔が無く、投入口６，６ａを通過させることができない。
【００１７】本考案である投入口６、６ａを設けたカードホルダー回収機１４の実施例として、投入口６、６ａを通過したカードホルダー１はカードホルダー回収機１４に配置されたガイド９の斜面に沿って自重で落下し、ＩＣカード２の照査のためデータ処理手段１１と相対する所定の位置にシャッター１２で受止められる。また、装着クリップ４を下向きに投入口６、６ａを通過させたカードホルダー１は装着クリップ４が下向きで所定の位置にシャッター１２で受止められる。
【００１８】シャッター１２で所定の位置に受止められているため、カードホルダー１に収納されているＩＣカード２はデータ処理手段１１で正確なデータ処理を可能とし、その結果から、システム上で連動するセキュリティゲートの扉の開閉手段で通路を制御する。データ処理されたＩＣカード２を収納したカードホルダー１は、シャッター１２をソレノイド１３により開放し下方に設けた回収箱に回収される
【００１９】本考案の投入口６、６ａとＩＣカードのデータ処理手段１１を備えたセキュリティゲートを退場する際に、カードホルダー１からＩＣカード２を取り出す必要がなく、取り出すことによるＩＣカードへの損傷が少なく、取り出す手間からの混雑を減少し、且つ退場時のカードホルダー１の回収にも効果がある。尚、実施例の説明でセキュリティゲートは本考案の主旨でないため省略をする。また、本考案はこれら実施例に限定されるものではないことはもちろんである。
【図面の簡単な説明】
【００２０】
【図１】ＩＣカードを収納したカードホルダーの正面図である。
【図２】ＩＣカードを収納したカードホルダーの側面図である。
【図３】本考案のカードホルダー回収機の投入口の平面図である。
【図４】本考案のカードホルダー回収機の投入口の他の実施例による平面図である。
【図５】本考案のカードホルダー回収機の投入口の断面図である。
【図６】本考案のカードホルダー回収機の投入口の断面図でカードホルダーを所定の位置に収めた図である。
【図７】本考案のカードホルダー回収機の背面図である。
【図８】本考案のカードホルダー回収機の底面図である。
【符号の説明】
【００２１】１        カードホルダー
２        ＩＣカード
３        ホルダー
４        装着クリップ
５        連結部材
６、６ａ  投入口
７        ホルダー通過孔
８、８ａ  クリップ通過孔
９、      ガイド
１０      下縁
１１      データ処理手段
１２      シャッター
１３      ソレノイド
１４      カードホルダー回収機
１５，１５ａ  交点
１６１６ａ  端面
１７      ホルダー側縁
【図１】
0003157381.tif 000003
【図２】
0003157381.tif 000004
【図３】
0003157381.tif 000005
【図４】
0003157381.tif 000006
【図５】
0003157381.tif 000007
【図６】
0003157381.tif 000008
【図７】
0003157381.tif 000009
【図８】
0003157381.tif 000010